(57)【要約】【課題】  相互に離れた通路設置部の間の間隔に応じて仮設通路の長さを調節することが可能な伸縮式仮設通路を提供する【解決手段】    伸縮式仮設通路１０ａは、相互に平行な２本の中空梁材１１、及び中空梁材１１を両端部で相互に連結するとともに足場板が取り付けられる２本の水平棒材１２ａ，１２ｂを備える主枠体１３を有しており、中空梁材１１の一端部には一方の通路設置部に係合する主係合フック１５が設けられている。さらに、伸縮式仮設通路１０ａは、それぞれの中空梁材１１にその他端部側から往復動自在に挿入される２本のスライド棒材１６、及びスライド棒材１６を突出側端部で相互に連結するとともに他端部側の水平棒材１２ａとの間で他の足場板が取り付けられる連結棒材１７を備える副枠体１８を有しており、スライド棒材１６の突出側端部には他方の通路設置部に係合する副係合フック１９が設けられている。【選択図】    図２
2006214213.tif 000002
【特許請求の範囲】
【請求項１】
相互に離れた通路設置部の間に取り外し自在に設置される伸縮式仮設通路であって、
相互に平行な２本の中空梁材、及び当該中空梁材を両端部で相互に連結するとともに足場板が取り付けられる２本の水平棒材を備える主枠体と、
それぞれの前記中空梁材の一端部に設けられ、一方の前記通路設置部に係合する主係合具と、
それぞれの前記中空梁材にその他端部側から往復動自在に挿入される２本のスライド棒材、及び当該スライド棒材を突出側端部で相互に連結するとともに前記他端部側の前記水平棒材との間で他の足場板が取り付けられる連結棒材を備える副枠体と、
前記スライド棒材の前記突出側端部に設けられ、他方の前記通路設置部に係合する副係合具とを有することを特徴とする伸縮式仮設通路。
【請求項２】
相互に離れた通路設置部の間に取り外し自在に設置される伸縮式仮設通路であって、
相互に平行な２本の中空梁材、及び当該中空梁材を両端部で相互に連結するとともに足場板が取り付けられる２本の水平棒材を備える主枠体と、
それぞれの前記中空梁材にその一端部側から往復動自在に挿入される２本のスライド棒材、及び当該スライド棒材を突出側端部で相互に連結するとともに一方の前記水平棒材との間で他の足場板が取り付けられる連結棒材を備える第１の副枠体と、
それぞれの前記中空梁材にその他端部側から往復動自在に挿入される２本のスライド棒材、及び当該スライド棒材を突出側端部で相互に連結するとともに他方の前記水平棒材との間で他の足場板が取り付けられる連結棒材を備える第２の副枠体と、
前記第１の副枠体が備える前記スライド棒材の前記突出側端部に設けられ、一方の前記通路設置部に係合する第１の副係合具と、
前記第２の副枠体が備えるの前記突出側端部に設けられ、他方の前記通路設置部に係合する第２の副係合具とを有することを特徴とする伸縮式仮設通路。
【請求項３】
相互に離れた通路設置部の間に取り外し自在に設置される伸縮式仮設通路であって、
相互に平行な２本の中空梁材、及び当該中空梁材を両端部で相互に連結するとともに足場板が取り付けられる２本の水平棒材を備える主枠体と、
それぞれの前記中空梁材の一端部に設けられ、一方の前記通路設置部に係合する主係合具と、
それぞれの前記中空梁材にその他端部側から往復動自在に挿入される２本のスライド棒材、及び当該スライド棒材を突出側端部で相互に連結するとともに他端部側の前記水平棒材に対して高さ方向にずらして前記主枠体に配置される副水平棒材との間で他の足場板が取り付けられる連結棒材を備える副枠体と、
前記副枠体の突出側端部に設けられ、他方の前記通路設置部に係合する副係合具とを有することを特徴とする伸縮式仮設通路。
【請求項４】
相互に離れた通路設置部の間に取り外し自在に設置される伸縮式仮設通路であって、
相互に平行な２本の中空梁材、及び当該中空梁材を両端部で相互に連結するとともに足場板が取り付けられる２本の水平棒材を備える主枠体と、
それぞれの前記中空梁材にその一端部側から往復動自在に挿入される２本のスライド棒材、及び当該スライド棒材を突出側端部で相互に連結するとともに一方の前記水平棒材に対して高さ方向にずらして前記主枠体に配置される副水平棒材との間で他の足場板が取り付けられる連結棒材を備える第１の副枠体と、
それぞれの前記中空梁材にその他端部側から往復動自在に挿入される２本のスライド棒材、及び当該スライド棒材を突出側端部で相互に連結するとともに他方の前記水平棒材に対して高さ方向にずらして前記主枠体に配置される副水平棒材との間で他の足場板が取り付けられる連結棒材を備える第２の副枠体と、
前記第１の副枠体の前記突出側端部に設けられ、一方の前記通路設置部に係合する第１の副係合具と、
前記第２の副枠体の前記突出側端部に設けられ、他方の前記通路設置部に係合する第２の副係合具とを有することを特徴とする伸縮式仮設通路。
【請求項５】
請求項２または４記載の伸縮式仮設通路において、一方の前記水平棒材との間で足場板が取り付けられるとともに他方の前記水平棒材との間で他の足場板が取り付けられる中間棒材を前記主枠体に設けることを特徴とする伸縮式仮設通路。
【請求項６】
請求項１〜５のいずれか１項に記載の伸縮式仮設通路において、前記スライド棒材には複数の位置決め孔が形成され、前記中空梁材には前記位置決め孔のいずれか１つと連通し位置決めピンが挿入される貫通孔が形成されることを特徴とする伸縮式仮設通路。
【請求項７】
請求項１〜６のいずれか１項に記載の伸縮式仮設通路において、前記中空梁材と前記スライド棒材のそれぞれには、手摺を構成する柱部材を立設状態で支持する支持金具が設けられることを特徴とする伸縮式仮設通路。
【発明の詳細な説明】
【技術分野】
【０００１】
本発明は相互に離れた通路設置部の間に現場作業員が移動するための通路を形成するために取り外し自在に設置される伸縮式仮設通路に関する。
【背景技術】
【０００２】
工事現場において、スラブの開口部や鉄骨の梁の間、資材保管用のステージ間など相互に離れた箇所には、現場作業員が移動するための通路が取り外し自在に設置されることがある。従来、このような通路は、相互に離れた通路設置部のそれぞれに梁材を所定の間隔で掛け渡し、その梁材の上に足場板を掛け渡して、現場作業員が移動するための仮設通路としていた。
【発明の開示】
【発明が解決しようとする課題】
【０００３】
このようして設置される仮設通路は、組立に要する部材の種類や点数が少ないことが望ましく、また、容易に組み立てられるとともに工事終了後には容易に分解できることが必要とされる。しかしながら、従来の仮設通路では、通路設置部の間隔に応じて、長さの異なる梁材を用意する必要があることから経済的ではなく、通路設置部の間隔が大きいときには長い梁材を用意する必要があり、その保管や移動は容易なものではなかった。
【０００４】
本発明の目的は、相互に離れた通路設置部の間の間隔に応じて仮設通路の長さを調節することが可能な伸縮式仮設通路を提供することにある。
【課題を解決するための手段】
【０００５】
本発明の伸縮式仮設通路は、相互に離れた通路設置部の間に取り外し自在に設置される伸縮式仮設通路であって、相互に平行な２本の中空梁材、及び当該中空梁材を両端部で相互に連結するとともに足場板が取り付けられる２本の水平棒材を備える主枠体と、それぞれの前記中空梁材の一端部に設けられ、一方の前記通路設置部に係合する主係合具と、それぞれの前記中空梁材にその他端部側から往復動自在に挿入される２本のスライド棒材、及び当該スライド棒材を突出側端部で相互に連結するとともに前記他端部側の前記水平棒材との間で他の足場板が取り付けられる連結棒材を備える副枠体と、前記スライド棒材の前記突出側端部に設けられ、他方の前記通路設置部に係合する副係合具とを有することを特徴とする。
【０００６】
本発明の伸縮式仮設通路は、相互に離れた通路設置部の間に取り外し自在に設置される伸縮式仮設通路であって、相互に平行な２本の中空梁材、及び当該中空梁材を両端部で相互に連結するとともに足場板が取り付けられる２本の水平棒材を備える主枠体と、それぞれの前記中空梁材にその一端部側から往復動自在に挿入される２本のスライド棒材、及び当該スライド棒材を突出側端部で相互に連結するとともに一方の前記水平棒材との間で他の足場板が取り付けられる連結棒材を備える第１の副枠体と、それぞれの前記中空梁材にその他端部側から往復動自在に挿入される２本のスライド棒材、及び当該スライド棒材を突出側端部で相互に連結するとともに他方の前記水平棒材との間で他の足場板が取り付けられる連結棒材を備える第２の副枠体と、前記第１の副枠体が備える前記スライド棒材の前記突出側端部に設けられ、一方の前記通路設置部に係合する第１の副係合具と、前記第２の副枠体が備えるの前記突出側端部に設けられ、他方の前記通路設置部に係合する第２の副係合具とを有することを特徴とする。
【０００７】
本発明の伸縮式仮設通路は、相互に離れた通路設置部の間に取り外し自在に設置される伸縮式仮設通路であって、相互に平行な２本の中空梁材、及び当該中空梁材を両端部で相互に連結するとともに足場板が取り付けられる２本の水平棒材を備える主枠体と、それぞれの前記中空梁材の一端部に設けられ、一方の前記通路設置部に係合する主係合具と、それぞれの前記中空梁材にその他端部側から往復動自在に挿入される２本のスライド棒材、及び当該スライド棒材を突出側端部で相互に連結するとともに他端部側の前記水平棒材に対して高さ方向にずらして前記主枠体に配置される副水平棒材との間で他の足場板が取り付けられる連結棒材を備える副枠体と、前記副枠体の突出側端部に設けられ、他方の前記通路設置部に係合する副係合具とを有することを特徴とする。
【０００８】
本発明の伸縮式仮設通路は、相互に離れた通路設置部の間に取り外し自在に設置される伸縮式仮設通路であって、相互に平行な２本の中空梁材、及び当該中空梁材を両端部で相互に連結するとともに足場板が取り付けられる２本の水平棒材を備える主枠体と、それぞれの前記中空梁材にその一端部側から往復動自在に挿入される２本のスライド棒材、及び当該スライド棒材を突出側端部で相互に連結するとともに一方の前記水平棒材に対して高さ方向にずらして前記主枠体に配置される副水平棒材との間で他の足場板が取り付けられる連結棒材を備える第１の副枠体と、それぞれの前記中空梁材にその他端部側から往復動自在に挿入される２本のスライド棒材、及び当該スライド棒材を突出側端部で相互に連結するとともに他方の前記水平棒材に対して高さ方向にずらして前記主枠体に配置される副水平棒材との間で他の足場板が取り付けられる連結棒材を備える第２の副枠体と、前記第１の副枠体の前記突出側端部に設けられ、一方の前記通路設置部に係合する第１の副係合具と、前記第２の副枠体の前記突出側端部に設けられ、他方の前記通路設置部に係合する第２の副係合具とを有することを特徴とする。
【０００９】
本発明の伸縮式仮設通路は、一方の前記水平棒材との間で足場板が取り付けられるとともに他方の前記水平棒材との間で他の足場板が取り付けられる中間棒材を前記主枠体に設けることを特徴とする。
【００１０】
本発明の伸縮式仮設通路は、前記スライド棒材には複数の位置決め孔が形成され、前記中空梁材には前記位置決め孔のいずれか１つと連通し位置決めピンが挿入される貫通孔が形成されることを特徴とする。
【００１１】
本発明の伸縮式仮設通路は、前記中空梁材と前記スライド棒材のそれぞれには、手摺を構成する柱部材を立設状態で支持する支持金具が設けられることを特徴とする。
【発明の効果】
【００１２】
本発明によれば、主枠体に対して副枠体をスライドさせることにより足場板が取り付けられる棒材同士の間隔を変化させることができるので、長さ寸法の異なる様々な足場板を掛け渡すことができ、通路設置部の間の間隔に応じて足場板を選択することにより、通路設置部の間の間隔に応じた長さの仮設通路を設置することが可能となる。主枠体及び副枠体のそれぞれは、副枠体のスライド範囲内である限り、通路設置部の間の間隔が異なる場合でも使い回すことが可能であり、通路設置部の間の間隔に応じて異なる長さの部材を用意する必要がなく、仮設通路を設置するために要する部材の種類及び点数を削減することができ経済的である。仮設通路を設置する際には、主係合具及び副係合具のそれぞれは取り外し自在に梁部材などの通路設置部に係合させられ、工事終了後には通路設置部から容易に取り外すことができる。
【００１３】
本発明によれば、水平棒材に対して高さ方向にずれた位置に副水平棒材を配置することにより、水平棒材と副水平棒材のそれぞれに取り付けられる足場板を高さ方向にずらして配置することができ、それぞれの足場板を相互に衝突させることなく、副枠体を出没いずれの方向にも連続的にスライドさせることができる。すなわち、通路設置部の間の間隔に応じて足場板を選択する必要がなく、足場板を掛け渡した状態で、通路設置部の間の間隔に応じて副枠体をスライドさせ仮設通路の長さを微調整することができる。
【００１４】
本発明によれば、主枠体に対して第１の副枠体と第２の副枠体とをスライド可能に組み付けることにより、仮設通路の長さをより広い範囲で調節することができるとともに、相互に大きく離れた通路設置部の間にも設置することができる。中空梁材の長手方向の寸法を大きくするとともに中空梁材の間に中間棒材を設けることによって、主枠体の剛性を確保しつつ、中空梁材の長手方向に向けて２枚の足場板を掛け渡すことができ、更に長い仮設通路を設置することができる。主枠体、第１の副枠体、及び第２の副枠体のそれぞれに取り付けられる足場板のそれぞれは、長さの異なる物を用いることができることは言うまでもない。
【００１５】
本発明によれば、スライド棒材に形成される位置決め孔のいずれか１つと中空梁材に形成される貫通孔とに位置決めピンを挿入することによって、中空梁材に対するスライド棒材の往復動を制限することができ、仮設通路の安定性及び安全性が向上する。
【００１６】
本発明によれば、中空梁材とスライド棒材のそれぞれに支持金具を設けることによって、足場板の側面に沿って手摺を容易に配置することができる。
【発明を実施するための最良の形態】
【００１７】
以下、本発明の実施の形態を図面に基づいて詳細に説明する。
【００１８】
図１は本発明の一実施の形態である伸縮式仮設通路の両側に手摺を取り付けて構成される移動通路の外観を示す斜視図であり、図２は図１に示す伸縮式仮設通路の全体構成を示す斜視図である。伸縮式仮設通路１０ａは、相互に離れた通路設置部の間を現場作業員が円滑かつ安全に移動するための仮設式の移動通路であり、工事の進捗状況に応じて通路設置部の間に設置されたり取り外されたりする。
【００１９】
図２に示すように、伸縮式仮設通路１０ａは、相互に平行な２本の中空梁材１１、及びそれらの中空梁材１１を両端部で相互に連結する２本の水平棒材１２ａ，１２ｂを備える主枠体１３を有しており、それぞれの中空梁材１１の一端部には梁部材などの通路設置部１４ａに係合する主係合具としての主係合フック１５が設けられている。中空梁材１１のそれぞれは同一寸法の角パイプにより形成され、水平棒材１２ａ，１２ｂのそれぞれは同一寸法の丸パイプにより形成され中空梁材１１の両端部に直角に固定されることにより相互に平行に配置されており、主枠体１３は全体として長方形状の枠体として形成されている。
【００２０】
中空梁材１１の他端部側、即ち主係合フック１５が設けられる一端部の反対側端部のそれぞれには、同一寸法の角パイプにより形成されるスライド棒材１６が往復動自在に挿入されている。これら２本のスライド棒材１６の突出側端部には連結棒材１７が直角に固定されており、スライド棒材１６のそれぞれは互いに平行な状態を保ったまま一体となって往復動するようになっており、これらのスライド棒材１６と連結棒材１７とにより副枠体１８が形成されている。この副枠体１８は、主枠体１３に対して中空梁材１１からスライド棒材１６が脱落しない範囲内において手作業によりスライドさせられ、これにより、水平棒材１２ａと連結棒材１７との間の間隔は副枠体１８のスライド可能範囲内において変化させることができる。
【００２１】
なお、中空梁材１１及びスライド棒材１６のそれぞれは丸パイプにより形成しても良く、水平棒材１２ａ，１２ｂ及び連結棒材１７のそれぞれは角パイプにより形成しても良く、スライド棒材１６、水平棒材１２ａ，１２ｂ及び連結棒材１７の各棒材は中実の部材により形成しても良い。更に中空梁材１１は、断面コ字状の型鋼材により形成しても良い。
【００２２】
それぞれのスライド棒材１６の突出側端部には、副係合具としての副係合フック１９が設けられており、この副係合フック１９は、他方の通路設置部１４ｂ、つまり主係合フック１５が係合する通路設置部１４ａに対して相互に離れて配置される通路設置部１４ｂに係合されるようになっている。そして、一方の通路設置部１４ａに主係合フック１５を着脱自在に係合させ、他方の通路設置部１４ｂに副係合フック１９を着脱自在に係合させることにより、相互に離れた通路設置部１４ａ，１４ｂの間に主枠体１３及び副枠体１８を取り外し自在に掛け渡すことができる。
【００２３】
なお、通路設置部１４ａ，１４ｂとしては、建造中の建物の外壁面に設けられた鋼製の梁部材や、その外壁面に沿って仮設される連層足場を構成する梁部材、スラブの開口部を形成する梁部材などである。また、主係合具や副係合具としては図示するような主係合フック１５や副係合フック１９に限られることなく、例えば、固定ピンを用いるようにしても良く、その場合には、中空梁材１１の一端部、スライド棒材１６の突出側端部、及び通路設置部１４ａ，１４ｂのそれぞれに挿入孔を形成し固定ピンを挿入することによって、通路設置部１４ａ，１４ｂに対して伸縮式仮設通路１０ａを設置するようにしても良い。
【００２４】
図３は足場板の外観構成を示す斜視図である。
【００２５】
足場板２０は、相互に平行な２本の横架材２１と、横架材２１を両端部で相互に連結する２本の連結部材２２とを備え全体として長方形状の支持枠体２３を有している。それぞれの横架材２１の両端部には掛止フック２４が設けられており、連結部材２２の間には支持枠体２３の長手方向に延びる２枚の布板２５が横架材２１の長手方向に沿って掛け渡されている。このような足場板２０は、主枠体１３が備える２本の水平棒材１２ａ，１２ｂの間と、中空梁材１１の他端部側つまりスライド棒材１６の挿入側の水平棒材１２ａと連結棒材１７との間に取り付けられることにより、現場作業員が移動する際の足場が中空梁材１１及びスライド棒材１６の長手方向に向けて形成されるようになっている。
【００２６】
本発明においては、主枠体１３に対して副枠体１８をスライドさせることにより足場板２０が取り付けられる水平棒材１２ａと連結棒材１７との間隔を変化させることができるので、長さ寸法の異なる様々な足場板２０を掛け渡すことができ、通路設置部１４ａ，１４ｂの間の間隔に合わせて足場板２０を選択することにより、通路設置部１４ａ，１４ｂの間の間隔に応じて仮設通路の長さを調節することが可能となる。なお、本実施の形態においては足場板２０に係止フック２４を設けて足場板２０を取り付けるようにしているが、ボルトやクランプなどの締結具を用いて取り付けるようにしても良く、両端にフックなどが設けられていない単なる長方形の鋼製の板材を溶接により取り付けて作業者が歩行するための足場板としても良い。
【００２７】
中空梁材１１とスライド棒材１６の外周側側面には、手摺２６を構成する柱部材２６ａを立設状態で支持する支持金具２７が所定の間隔で複数設けられている。図１及び図２に示す場合にあっては、支持金具２７は底付き円筒形状の柱受け部材であり、柱部材２６ａの下端部が支持金具２７の上側開口部から取り外し自在に挿入されるようになっている。なお、手摺２６を構成する柱部材２６ａを支持する支持金具２７としては、通常一般に使用されるクランプなどの連結金具を用いることもできる。さらに、主枠体１３に対して副枠体１８をスライドさせた後、図１に示すように、中空梁材１１とスライド棒材１６との間に補強部材２８を掛け渡し、その補強部材２８をクランプなどの連結金具２８ａを用いて中空梁材１１とスライド棒材１６のそれぞれに締結することにより、中空梁材１１に対するスライド棒材１６の往復動を制限しつつ、伸縮式仮設通路１０ａの剛性を高めることができる。
【００２８】
柱部材２６ａには係合棒２９ａを有する係合フック２９が着脱自在に装着されており、その係合棒２９ａと柱部材２６ａとの間には作業用具等の落下を防止するための仕切り板３０が挟み込まれている。このように、伸縮式仮設通路１０ａには手摺２６や仕切り板３０を設けることができ、現場作業員は、通路設置部１４ａ，１４ｂの間を安全に移動することができる。
【００２９】
図４（Ａ）は図２に示す伸縮式仮設通路の概略構成を示す平面図であり、図４（Ｂ）は他の実施の形態である伸縮式仮設通路の概略構成を示す平面図であり、図４（Ｃ）は他の実施の形態である伸縮式仮設通路の概略構成を示す平面図である。なお、図４（Ｂ）及び図４（Ｃ）において、図４（Ａ）に示す部材と共通する部材には同一の符号を付して、重複した説明を省略する。図１、図２及び図４（Ａ）に示す場合にあっては、主枠体１３の一方、つまり中空梁材１１の一端部側にのみ副枠体１８が組み付けられているが、図４（Ｂ）及び図４（Ｃ）に示すように、主枠体１３ａ，１３ｂの一端部側に第１の副枠体１８を組み付け、他端部側に第２の副枠体３３を組み付けることもできる。
【００３０】
図４（Ｂ）に示す伸縮式仮設通路１０ｂは、相互に平行な２本の中空梁材１１、及び中空梁材１１を両端部で相互に連結するとともに足場板（図示省略）が取り付けられる２本の水平棒材１２ａ，１２ｂを備える主枠体１３ａと、この主枠体１３ａの一端部側に組み付けられる第１の副枠体１８に加え、それぞれの中空梁材１１の他端部側から往復動自在に挿入される２本のスライド棒材３１、及びスライド棒材３１を突出側端部で相互に連結するとともに他方の水平棒材１２ｂとの間で足場板（図示省略）が取り付けられる連結棒材３２を備える第２の副枠体３３を有している。
【００３１】
更に、伸縮式仮設通路１０ｂは、第１の副枠体１８が備えるスライド棒材１６の突出側端部に設けられ一方の通路設置部に係合する第１の副係合フック１９に加え、第２の副枠体３３が備えるスライド棒材３１の突出側端部に設けられ他方の通路設置部に係合する第２の副係合フック３４を有している。第２の副係合フック３４は、上述の副係合フック１９と同一の部材を用いることができる。これにより、一方の通路設置部に第１の副係合フック１９を係合させ、他方の通路設置部に第２の副係合フック３４を係合させることにより、主枠体１３ａと第１の副枠体１８及び第２の副枠体３３とを相互に離れた通路設置部の間に取り外し自在に設置することができる。
【００３２】
このような伸縮式仮設通路１０ｂにおいては、主枠体１３ａに対して副枠体１８，３３のそれぞれをスライドさせることにより、仮設通路の長さをより広い範囲で調節することができ、例えば、相互に大きく離れた通路設置部の間にも設置することができる。
【００３３】
図４（Ｃ）に示す伸縮式仮設通路１０ｃの主枠体１３ｂには、一方の水平棒材１２ａとの間で足場板（図示省略）が取り付けられるとともに他方の水平棒材１２ｂとの間で他の足場板（図示省略）が取り付けられる中間棒材３５が設けられている。この中間棒材３５は水平棒材１２ａ，１２ｂと同様の丸パイプにより形成されており、主枠体１３ｂの剛性を確保しつつ中空梁材１１ａの長手方向の寸法を大きくすることができ、中空梁材１１の長手方向に向けて２枚の足場板（図示省略）を直列に掛け渡すことができ、更に長い仮設通路を設置することが可能となる。
【００３４】
なお、中間棒材３５とは別に、図２に示すように、中空梁材１１の間には角材などにより形成される補強部材３６を任意に取り付けることができる。また、中間棒材３５と同様の中間棒材を副枠体１８，３３に設け、副枠体１８，３３に複数枚の足場板を直列に掛け渡すようにしても良い。
【００３５】
図５は他の実施の形態である伸縮式仮設通路の全体構成を示す斜視図である。
【００３６】
図５に示す伸縮式仮設通路３７ａは、相互に平行な２本の中空梁材３８、及びそれらの中空梁材３８を両端部で相互に連結するとともに足場板（図示省略）が取り付けられる２本の水平棒材３９ａ，３９ｂを備える主枠体４１と、それぞれの中空梁材３８の一端部に設けられ、一方の通路設置部に係合する主係合フック４０とを有している。また、伸縮式仮設通路３７ａは、それぞれの中空梁材３８にその他端部側つまり主係合フック４０が設けられる端部の反対側端部側から往復動自在に挿入される２本のスライド棒材４２、及びスライド棒材４２を突出側端部で相互に連結するとともに他端部側の水平棒材３９ａに対して高さ方向にずらして主枠体４１に配置される副水平棒材４４との間で他の足場板（図示省略）が取り付けられる連結棒材４７を備える副枠体５２と、副枠体５２の突出側端部に設けられ、他方の通路設置部に係合する副係合フック４５とを有している。
【００３７】
図示する場合には、それぞれの中空梁材３８の他端部側の底面には、主支持板４３が固定されており、副水平棒材４４の両端部を主支持板４３のそれぞれに直角に固定することにより、水平棒材３９ａに対して高さ方向にずれた位置に水平棒材３９ａが配置されている。これと同様に、スライド棒材４２の突出側端部には副支持板４６が固定されており、連結棒材４７の両端部が副支持板４６のそれぞれに直角に固定されており、副水平棒材４４とほぼ同じ高さで副水平棒材４４と平行に配置されている。さらに、中空梁材３８とスライド棒材４２の外周側側面には支持金具２７と同種の支持金具４８が固定されており、中空梁材３８の間には補強部材４９が固定されている。
【００３８】
図６（Ａ）は図５に示すＸ−Ｘ線に沿う方向の断面図であり、図６（Ｂ）は他の実施の形態である伸縮式仮設通路を示す断面図であり、図６（Ｃ）は他の実施の形態である伸縮式仮設通路を示す一部省略断面図である。
【００３９】
図６（Ａ）に示すように、図５に示す水平棒材３９ａ，３９ｂの間には足場板２０と同様の足場板５０ａが掛け渡され、副水平棒材４４と連結棒材４７との間には他の足場板５０ｂが掛け渡され、現場作業員が移動する際の足場が中空梁材３８及びスライド棒材４２の長手方向に向けて形成されるようになっている。足場板５０ｂは一端部に設けられた掛止フック５１が連結棒材４７に係合する一方で、その他端部側は副水平棒材４４に摺動自在に載置されている。
【００４０】
このように、水平棒材３９ａ，３９ｂに対して高さ方向にずれた位置に副水平棒材４４及び連結棒材４７が配置されていることから、それぞれの足場板５０ａ，５０ｂは高さ方向にずれて配置されることになる。これにより、足場板５０ａ，５０ｂを掛け渡した状態でも、それぞれの足場板５０ａ，５０ｂを相互に衝突させることなく、スライド棒材４２と連結棒材４７とを備える副枠体５２を主枠体４１に対して出没いずれの方向にも連続的にスライドさせることができ、主枠体４１に対して副枠体５２がスライド可能な範囲内において仮設通路の長さを微調整することができる。
【００４１】
スライド棒材４２のそれぞれには、所定の間隔で複数の位置決め孔５３が形成されており、中空梁材３８には貫通孔５４が形成されており、スライド棒材４２をスライドさせて貫通孔５４に位置決め孔５３のいずれか１つを連通させた状態のもと位置決めピン（図示省略）を挿入することによって、中空梁材３８に対するスライド棒材４２の往復動を制限することができる。これにより、仮設通路の安定性及び安全性が向上する。なお、これと同様の位置決め孔と貫通孔とを上述の伸縮式仮設通路１０ａ〜１０ｃのそれぞれに形成し、位置決めピンを挿入することによって中空梁材１１，１１ａに対するスライド棒材１６，３１の往復動を制限するようにしても良い。
【００４２】
図５及び図６（Ａ）に示す場合にあっては、主枠体４１の一方、つまり中空梁材３８の一端部側にのみ副枠体５２が組み付けられているが、図６（Ｂ）及び図６（Ｃ）に示すように、主枠体４１，４１ａの両側に副枠体５２，５８を組み付けることもできる。
【００４３】
図６（Ｂ）に示す伸縮式仮設通路３７ｂは、相互に平行な２本の中空梁材３８、及び中空梁材３８を両端部で相互に連結するとともに足場板５０ａが取り付けられる２本の水平棒材３９ａ，３９ｂを備える主枠体４１と、主枠体４１の一端部側に組み付けられる第１の副枠体５２と、その第１の副枠体５２の突出側端部に設けられ、一方の通路設置部に係合する第１の副係合フック４５とを有している。更に、伸縮式仮設通路３７ｂは、それぞれの中空梁材３８にその他端部側から往復動自在に挿入される２本のスライド棒材５５、及びスライド棒材５５を突出側端部で相互に連結するとともに他方の水平棒材３９ｂに対して高さ方向にずらして主枠体４１に配置される副水平棒材５６との間で他の足場板５０ｃが取り付けられる連結棒材５７を備える第２の副枠体５８と、第２の副枠体５８の突出側端部に設けられ、他方の通路設置部に係合する第２の副係合フック５９とを有している。
【００４４】
副水平棒材５６を高さ方向にずらして配置するために、中空梁材３８の両端部の底面には主支持板６０が固定されており、それぞれの主支持板６０に対して直角に副水平棒材５６が固定されている。また、スライド棒材５５の突出側端部には副支持板６１が固定されており、それぞれの副支持板６１に対して直角に連結棒材５７が固定されており、連結棒材５７は副水平棒材５６とほぼ同じ高さで副水平棒材５６と平行に配置されるようになっている。
【００４５】
このような伸縮式仮設通路３７ｂにあっては、連結棒材４７と副水平棒材４４の間に取り付けられる足場板５０ｂ、及び連結棒材５７及び副水平棒材５６の間に取り付けられる足場板５０ｃのそれぞれは、水平棒材３９ａ，３９ｂの間に取り付けられる足場板５０ａに対して高さ方向にずれて配置される。これにより、足場板５０ａ〜５０ｃのそれぞれを掛け渡した状態でも、足場板５０ａ〜５０ｃのそれぞれを相互に衝突させることなく主枠体４１に対して副枠体５２，５８のそれぞれをスライドさせることができ、仮設通路の長さをより広い範囲で調節することができる。
【００４６】
図６（Ｃ）に示す伸縮式仮設通路３７ｃは、一方の水平棒材３９ａとの間で足場板（図示省略）が取り付けられるとともに他方の水平棒材３９ｂとの間で他の足場板（図示省略）が取り付けられる中間棒材６２が設けられている。この中間棒材６２は水平棒材３９ａ，３９ｂと同様の丸パイプにより形成されており、主枠体４１の剛性を確保しつつ中空梁材３８ａの長手方向の寸法を大きくすることができ、中空梁材３８ａの長手方向に向けて２枚の足場板５０ｄ，５０ｅを直列に掛け渡すことができ、更に長い仮設通路を設置することが可能となる。なお、中空梁材３８ａの間には角材などにより形成される補強部材４９ａを任意に取り付けることができる。
【００４７】
本発明は前記実施の形態に限定されるものではなく、その要旨を逸脱しない範囲で種々変更可能である。たとえば、図５及び図６に示す場合にあっては、副水平棒材４４，５６及び連結棒材４７，５７のそれぞれは水平棒材３９ａ，３９ｂよりも下側にずれて配置されているが、中空梁材３８，３８ａ及びスライド棒材４２，５５の上面に主支持板及び副支持板に設けることによって、水平棒材３９ａ，３９ｂよりも上側にずらして配置するようにしても良い。本発明により形成される仮設通路の幅を大きくする場合などには、補強用の中空梁材とこれに往復動自在に挿入されるスライド棒材とを主枠体と副枠体のそれぞれに設けるようにしても良く、この場合には主枠体は２本以上の中空梁材を備え、副枠体は２本以上のスライド棒材を備えることになる。
【図面の簡単な説明】
【００４８】
【図１】本発明の一実施の形態である伸縮式仮設通路の両側に手摺を取り付けて構成される移動通路の外観を示す斜視図である。
【図２】図１に示す伸縮式仮設通路の全体構成を示す斜視図である。
【図３】足場板の外観構成を示す斜視図である。
【図４】（Ａ）は図２に示す伸縮式仮設通路の概略構成を示す平面図であり、（Ｂ）は他の実施の形態である伸縮式仮設通路の概略構成を示す平面図であり、（Ｃ）は他の実施の形態である伸縮式仮設通路の概略構成を示す平面図である。
【図５】他の実施の形態である伸縮式仮設通路の全体構成を示す斜視図である。
【図６】（Ａ）は図５に示すＸ−Ｘ線に沿う方向の断面図であり、（Ｂ）は他の実施の形態である伸縮式仮設通路を示す断面図であり、（Ｃ）は他の実施の形態である伸縮式仮設通路を示す一部省略断面図である。
【符号の説明】
【００４９】
１０ａ〜１０ｃ  伸縮式仮設通路
１１，１１ａ  中空梁材
１２ａ，１２ｂ  水平棒材
１３，１３ａ  主枠体
１４ａ，１４ｂ  通路設置部
１５  主係合フック
１６  スライド棒材
１７  連結棒材
１８  （第１の）副枠体
１９  （第１の）副係合フック
２０  足場板
２１  横架材
２２  連結部材
２３  支持枠体
２４  掛止フック
２５  布板
２６  手摺
２６ａ  柱部材
２７  支持金具
２８  補強部材
２９  係合フック
２９ａ  係合棒
３０  仕切り板
３１  スライド棒材
３２  連結棒材
３３  第２の副枠体
３４  第２の副係合フック
３５  中間棒材
３６  補強部材
３７ａ〜３７ｃ  伸縮式仮設通路
３８  中空梁材
３９ａ，３９ｂ  水平棒材
４０  主係合フック
４１  主枠体
４２  スライド棒材
４３  主支持板
４４  副水平棒材
４５  副係合フック
４６  副支持板
４７  連結棒材
４８  支持金具
４９，４９ａ  補強部材
５０ａ〜５０ｅ  足場板
５１  掛止フック
５２  第１の副枠体
５３  位置決め孔
５４  貫通孔
５５  スライド棒材
５６  副水平棒材
５７  連結棒材
５８  第２の副枠体
５９  第２の副係合フック
６０  主支持板
６１  副支持板
６２  中間棒材
【図１】
2006214213.tif 000003
【図２】
2006214213.tif 000004
【図３】
2006214213.tif 000005
【図４】
2006214213.tif 000006
【図５】
2006214213.tif 000007
【図６】
2006214213.tif 000008